(57)【要約】人にある事象をリマインドさせるシステムが開示される。本システムは、リマインダメッセージを入力する手段を具える、例えばテレビやコンピュータのような、少なくとも一つの第１装置（１）を備えている。本システムは第１装置（１）に関連する少なくとも１つの第２装置と、リマインダメッセージを記憶し（５）、特定の時刻に第２装置（３）へ伝送する手段を備えるサービスステーション（４）と、リマインダメッセージが、前記第１装置（１）から前記サービスステーション（４）へ、及び前記サービスステーション（４）から前記第１装置（１）に関連する前記第２装置（３）へ伝送される通信ネットワーク（６）とを有する。第１装置（１）はリマインダを記憶し、自動的にサービスステーション（４）に伝送する手段を有している。このシステムで第１装置として使用される装置が開示され、第１（１）又は第２（３）装置又はサービスステーション（４）に与えられ、プログラム可能な装置へロードできるコンピュータプログラムについて開示される。【特許請求の範囲】
【請求項１】
リマインダメッセージを入力する手段（２）を備える、テレビジョン又はコンピュータのような少なくとも１つの第１装置（１）と、各第１装置に関連する少なくとも１つの第２装置（３）と、リマインダメッセージを記憶し（５）、特定の時刻に第２装置（３）へ伝送する手段を備えるサービスステーション（４）と、リマインダメッセージが、前記第１装置（１）から前記サービスステーション（４）へ、及び前記サービスステーション（４）から前記第１装置（１）に関連する前記第２装置（３）へ伝送される通信ネットワーク（６）とを有し、
前記第１装置（１）は入力されたリマインダメッセージを記憶する手段と該リマインダメッセージを自動的にサービスステーション（４）に伝送する手段を有することを特徴とする、人にある事象をリマインドさせるシステム。
【請求項２】
前記第１装置（１）はサービスステーション（４）の内部に記憶されているリマインダメッセージの最新のコピーを自動的に維持する手段を有する請求項１に記載のシステム。
【請求項３】
前記第１装置（１）は、局所的に記憶されている内容に従って特定の時刻にリマインダを生成する手段を有する請求項１又は請求項２に記載のシステム。
【請求項４】
前記第１装置（１）は、サービスステーション（４）に記憶されている余分なリマインダメッセージを検出する手段と、その第２装置（３）への伝送を自動的に抑制する手段を有する請求項１乃至３のいずれかの請求項に記載のシステム。
【請求項５】
前記第１装置（１）はユーザが最初のリマインダの受け取りを知らせるための手段を有し、該手段はサービスステーション（４）に余分なリマインダメッセージの存在していることを第１装置（１）に警報する請求項４に記載のシステム。
【請求項６】
前記第１装置（１）はリマインダメッセージをその上に表示する手段を備えるスクリーンを有する請求項１乃至５のいずれかの請求項に記載のシステム。
【請求項７】
前記第２装置（３）は電話を有し、前記サービスステーション（４）は前記電話を呼び出す手段を有する、請求項１乃至６のいずれかの請求項に記載のシステム。
【請求項８】
前記第２装置（３）に伝送されるリマインダメッセージは音声によるリマインダである請求項１乃至７のいずれかの請求項に記載されたシステム。
【請求項９】
前記第２装置（３）はスクリーンを有し、サービスステーション（４）から送られるリマインダは前記スクリーン上に表示される請求項１乃至８のいずれかの請求項に記載のシステム。
【請求項１０】
少なくとも１つの第２装置（３）が接続される通信ネットワーク（６）を介してサービスステーション（４）に接続されるのに好適なリマインダの内容を入力する手段と、リマインダメッセージをサービスステーション（４）に伝送する手段を有し、前記サービスステーション（４）はリマインダメッセージを記憶し、特定の時刻に第１装置（３）に関連する各第２装置（３）へ伝送する手段を有する装置（１）であって、
前記装置（１）はリマインダメッセージを記憶し、前記サービスステーション（４）に自動的に伝送する手段を有することを特徴とする装置（１）。
【請求項１１】
請求項１乃至９のいずれかの請求項に記載のシステムにおける第１装置（１）の機能を与えるためのプログラム可能な装置にロードすることが可能なコンピュータプログラム。
【請求項１２】
請求項１乃至９のいずれかの請求項のシステムを構成する第２装置（３）の機能を与えるためのプログラム可能な装置へロードすることが可能なコンピュータプログラム。
【請求項１３】
請求項１乃至９のいずれかの請求項のシステムを構成するサービスステーション（４）の機能を与えるためのプログラム可能な装置へロードすることが可能なコンピュータプログラム。
【発明の詳細な説明】
【０００１】
本発明は、人にある事象を思い出させるシステムに関し、このシステムは、リマインダメッセージを入力する手段を備える、例えば、テレビジョン又はコンピュータのような少なくも一つの第１装置と、各第１装置に関連する少なくとも一つの第２装置と、リマインダメッセージを記憶し、特定の時刻に第２装置に伝送する手段を有するサービスステーションと、リマインダメッセージを前記第１装置から前記サービスステーションへ、及び前記サービスステーションから前記第１装置と関連する前記第２装置へ伝送する通信手段を有する。本発明は、更に、このようなシステムに使用される装置に関する。本発明は、また、プログラム可能な装置へロード可能で、そのような装置及びサービスステーションに夫々ロードすることが可能なコンピュータプログラムに関する。
【０００２】
ＷＯ９９／１４９４７  は現在そこに居ないテレビ観察者に、自分の好みのプログラムが始まろうとしていることをお思い出させることを目的とする上述のようなタイプのシステムを記載している。このシステムは、ユーザが、ｅ−メールメッセージを特定の時刻に、自分の選択したｅ−メールアドレスに送ることを可能にしている。このシステムは、ユーザが、リマインダが必要なときに特定されたコンピュータのそばに居なければならいため理想的なものではない。
【０００３】
更に、このシステムにおいては、リマインダをセットする間、Ｔ．Ｖ．がサーバにログインされる必要があるため、リマインダを入力することは煩わしいことである。もしユーザが後でリマインダを編集又は削除すると望むとき、ユーザはリマインダの時間にはテレビの前に自分が存在すれば、同様な状態となる。
【０００４】
本発明の目的は、テレビ又はコンピュータのような第１装置のユーザにスケジュール事項を思い出させるためのサービスステーションを使用するためのより効果的で柔軟な方法を提供することにある。
【０００５】
このため、このシステムの第１装置はリマインダメッセージを記憶する手段と、そのリマインダメッセージをサービスステーションに自動的に伝送する手段を備えている。この方法においては、リマインダがセットされるとき、サービスステーションにログされる状態にしておく必要がなくなる。第１装置は好きな時間に接続をセットアップすることができ、リマインダをサービスステーションに迅速に伝送することができる。ユーザは装置から離れることができ、メッセージを伝送するためにそのままにしておくことができる。
【０００６】
好ましい実施例では、第１装置はリマインダを生成する手段を有することもできる。このことは、ユーザがリマインダを２通りの方法、即ち、第１装置を介して直接的に、又はサービスステーションを使用して第２装置により受け取ることができることを意味する。
【０００７】
もちろん、もし、ユーザがリマインダを第１装置から既に受け取っていれば、リマインダをサービスステーションから送る意味は殆どない。したがって、本発明の更なる目的は、不必要なリマインダがユーザに届くことを防ぐことである。したがって、本システムの好ましい実施例は、この場合、第２装置へリマインダが伝送されるのを抑制している。このため、第１装置はサービスステーションにある不必要なリマインダを検出する手段を有する。
【０００８】
本発明は、本発明に従うシステムの好ましい実施例の簡単なダイアグラムを概略的に示す図面を参照にして詳細に説明されるであろう。
【０００９】
現代人は、これまで増加し続けるチャンネルを通して供給される増加する情報に直面している。テレビ、ラジオ及びインターネットは消費者に大きなコンテンツを提供している。それらの多くは、選択された時間にのみ利用できる。利用できるチャンネルの全てを使用することを望む者は、アップデートしたスケジュールを維持するのに多大な努力を必要とする。その人は、また、特定の事象や放送が到来してとき自分を思い出させる手段が必要となる。
【００１０】
第１（マルチメディア）装置１の製造者は、装置１にアラーム時計に良く似ているリマインダシステムを与えることによりユーザを支援することができる。第１装置はユーザにリマインダメッセージを入力することを可能とする何らかの手段２を備えており、メッセージは意図される時刻に再生される。しかしながら、このようなシステムは、リマインダの時刻にユーザが第１装置１の近傍に居ることを必要とする。また、装置１はスイッチがオンの状態、少なくともスタンバイ状態となっていなければならない。しかしながら、本発明によるシステムにおいては、ユーザが第１装置に関連する第２装置３でメッセージを受けることができるため、これは必要ない。即ち、本発明のシステムにおいては、メッセージは第１装置１から常にスイッチオンの状態にあるサービスステーション４に自動的に伝送される。そしてユーザにより選択された第２装置３に伝送される。
【００１１】
ここで、ユーザが第１装置１に関連する事象をリマインドしたいとする。図１において、第１装置１はテレビであるが、それはパーソナルコンピュータ又はハイファイセットであってもよい。このシステムは原理的には変わらずに上述の全てを含んだ状態で複数の第１装置を包含することもできる。各第１装置１に関連して第２装置３が存在する。多数ユーザの場合には、各第１装置に対し異なる第２装置が存在することになるであろう。その他、同じ装置が一つより多い第１装置と関連させることができる。
【００１２】
ここで、ユーザがテレビのプログラムの開始を思い出することを欲していると仮定しよう。第１装置はリマインダメッセージを入力するための手段２を備えている。図１の例では、これらの手段は第１装置１によって与えられるリモートコントロールを使用している。好ましい実施例においては、第１装置は、入力されたリマインダの内容を表示する図形的なユーザインターフェースを提供できるようなスクリーンを備えている。利用を最大限容易にするため、第１装置１は、電子プログラム案内を有し、ユーザは単にリストからプログラムを選択するだけでよい。そうでなければ、ユーザは思い出すチャンネルと時間を入力する。更なる詳細は本システと第１装置１の的確な実施例に基づいて明らかになるであろう。
【００１３】
本発明によるシステムにおいて使用されることのできる全ての第１装置はユーザにより入力されるリマインダメッセージを内部的に記憶する手段を備えている。第１装置はメッセージを入力された後はいつでもサービスステーション４に伝送することができる。
【００１４】
本発明によるシステムにおいては、この伝送はユーザのいかなる動作をも必要としないで自動的に行われる。メッセージを記憶し、これらを自動的に伝送する手段は、これまで知られているシステムを上回る改良を示すものである。メッセージの伝送に関する全ての種類の問題は、リマインダメッセージをサービスステーション４に自動的に伝送する手段が持つプロトコルを介して解決することができる。これは、これまで知られているシステムのユーザにより体験される障害の多くを取り除くものである。
【００１５】
サービスステーション４に記憶されているリマインダメッセージを自動的に更新する手段を第１装置１に追加的に設けることは比較的簡単な事である。これは、このシステムのユーザがすでに第１装置１に入力され、サービスステーション４に伝送されたメッセージの詳細を後で変更するとき便利なものとなる。サービスステーション４のリマインダメッセージを自動的に更新する手段は、第１装置に第１装置１に記憶されているメッセージをサービスステーション４に記憶されているメッセージと定期的に比較させることにより実行することができる。このようにして、第１装置はサービスステーション４に内部的に記憶されているリマインダの最新のコピーを自動的に維持する手段を持つ。
【００１６】
第２装置３は、後の特定の時刻にサービスステーション４からリマインダメッセージを受ける。
【００１７】
好ましい実施例においては、第２装置３は電話である。一般に、人々は、家のどこに居ようと、かかってくるコールに気付くことを確信している。ダイアルする電話番号はリマインダメッセージと共に入力される内容の一部とすることができる。
【００１８】
図１の実施例では、第２装置３は携帯電話である。ユーザが家から離れた所にいる場合、携帯電話番号はリマインダメッセージの内容と共に入力することができる。このようにして、第１装置１のユーザは常にリマインダを受ける。同じ利点が、本発明によるシステムの第２装置３として使用することができるページャによって提供される。
【００１９】
第２装置３に送られるリマインダメッセージの種類は装置３とサービスステーション４のタイプによって変わり得る。第２の装置３が電話である実施例においては、サービスステーション４は音声メッセージを発生する手段を持つようにすることができる。電話に応答するに際して、ユーザはリマインダメッセージを聞く。それに替えて、もし第２装置３が表示装置を有していれば、リマインダは文字のメッセージ又は図形として表示させることもできる。特に、もし第２装置３が携帯電話であれば、音声メッセージと表示リマインダの組み合わせ、或いはどちらかの選択に関するユーザへの提供を考えることもできる。
【００２０】
第２装置３のためにメッセージを記憶するサービスステーション４は常にリマインダメッセージを記憶する手段５を備えている。図１に示された例において、サービスステーション４は特にプログラムされたサーバである。この場合、ユーザ又は第１装置のグループについてメッセージを記憶することができる。各装置はディスクドライバの一つの記憶スペースの割当てを持ち、そのディスクドライバは、このケースでは、リマインダメッセージを記憶する手段５を形成する。
このような使用は、サービスステーション４が中央のサービスプロバイダによって維持されている場合には意味のあることである。一世帯あたり一サービスにより、このシステムがより小さくてはいけないという理由はない。このケースではそれはパーソナルコンピュータ、即ちカスタマイズされた家庭機器であってよい。
【００２１】
特に、ユーザが第１装置に関連して自分自身である事象を思い出したとき、彼はメッセージが示す時刻に第１装置の傍にたいと思っているはずである。好ましい実施例においては、第１装置１は、したがって、特定の時刻に内部に記憶されているメッセージの内容に従ってリマインダメッセージを発生することにより、ユーザに警報を出す手段を備えている。第１装置１がスクリーンを有している好ましい実施例において、これらの内容はスクリーンに表示される。第１装置１はリマインダメッセージをサービスステーション４に自動的に更新して保持しているため、ある時刻においてはこのシステムには各リマインダメッセージの一つのバージョンのみが存在する。したがって、ユーザをリマインドさせるためには２つの方法があるが、それにより送られる２つのリマインダの内容は同一である。
【００２２】
リマインダメッセージの伝送は通信ネットワーク６を介して行われる。インターネット、専属ケーブルネットワーク、モバイルオペレータズネットワーク又は公衆電話ネットワークの全てが、本システムの特定の実施例に応じてネットワークの一部又は全部を構成することができる。例えば、サービスステーション４は第２装置３の電話番号を直接にダイアルする手段を持つことができる。第１装置１はサービスステーション４が同様に接続されているインターネットに接続するためのモデムを備えるようにすることができる。それに代えて、第１装置１からの通信はケーブルテレビネットワークを含むことができる。
【００２３】
第２装置３へのメッセージが必要かどうかを決定する手段を簡略にすることができる。例えば、もし第１装置１がラジオであれば、条件を、既に正しい局に合わされているということにすることができる。より洗練された好ましい実施例においては、第１装置１はユーザが最初のリマインダの受取りを知らせることを可能にする手段を備えている。したがって、例えば、彼がＴ．Ｖ．が丁度スクリーン上に生成したメッセージを読んだことを知らせるため、Ｔ．Ｖ．のリモートコントロール２を再び使用することもできるかも知れない。もし、第１装置１が個人情報管理のプログラムを作動させているＰ．Ｃ．であれば、マウスのクリックを使用することができるであろう。これらの全てのケースにおいては、サービスステーション４に記憶され、既に余計なものとなっているリマインダメッセージは第１装置１により検知される。
【００２４】
自動的にサービスステーション４に接続する能力を使用して、第１装置１は余計なリマインダを第２装置３に伝送することを抑制することができる。これはユーザ側に更なる動作を要求するものではない。
【００２５】
本発明を実施する可能な方法は図と上述の説明による例にのみ限定さあれるものでない。それらは、クレームの範囲に従う多くの方法に変更できる。
【図面の簡単な説明】
【００２６】
【図１】本発明に従うシステムの好ましい実施例の簡単なダイアグラムを概略的に示す図である。
【国際公開パンフレット】
2004524774.tif 000002
2004524774.tif 000003
2004524774.tif 000004
2004524774.tif 000005
2004524774.tif 000006
2004524774.tif 000007
2004524774.tif 000008
2004524774.tif 000009
2004524774.tif 000010
【国際調査報告】
2004524774.tif 000011
2004524774.tif 000012